(57)【要約】【課題】  断水時に使用できる貯水装置であって、簡便な構造で、且つ、常時使用する洗濯機に連結することで、常に新鮮な水道水を保管させておくことができる貯水装置を提供すること。【解決手段】  第一蛇口１０に装着される第一送水管１１と、洗濯機４０に装着される第二送水管４１と、前記第一送水管１１と第二送水管４１との間に具備される貯水装置１であって、該貯水装置１は、第一送水管１１より送られた水道水を貯水する貯水本体２と、貯水本体２に具備された第二蛇口２０と、断水時に貯水本体２内の水を排水する第三蛇口３０とを備える。  また、前記貯水本体２は蛇腹状に形成され、上部に息抜き弁３を設置し、さらに下部に移動用のキャスター４が設置されている。【選択図】図１
2015229918.tif 000002
【特許請求の範囲】
【請求項１】
第一蛇口に装着される第一送水管と、洗濯機に装着される第二送水管と、前記第一送水管と第二送水管との間に具備される貯水装置であって、該貯水装置は、第一送水管より送られた水道水を貯水する貯水本体と、貯水本体に具備された第二蛇口と、断水時に貯水本体内の水を排水する第三蛇口とを備えることを特徴とする貯水装置。
【請求項２】
前記貯水本体は蛇腹状に形成されている請求項１記載の貯水装置。
【請求項３】
前記貯水本体の上部に息抜き弁を設置した請求項１または２記載の貯水装置。
【請求項４】
前記貯水本体の下部に移動用のキャスターを設置した請求項１乃至３のうちいずれか１項に記載の貯水装置。
【発明の詳細な説明】
【技術分野】
【０００１】  本発明は、断水時に使用できる貯水装置であって、特に、常に新鮮な水道水を保管することができる貯水装置に関する。
【背景技術】
【０００２】  従来より、災害が発生した場合に備えて、一定量の生活水を容器に保管していた。しかし、暫くすると容器内の保管水は腐敗するため、定期的に入れ替えを行わなければならない。そのため、入れ替え作業の煩わしさとともに、水道料金の無駄な出費にも繋がった。
【先行技術文献】
【特許文献】
【０００３】  また貯水槽に関連する先行技術として、既設の水道設備の一部の部品を交換するだけで簡単に設置でき、常に新鮮な水を保管しておける貯水槽がある（例えば特許文献１参照）。
上掲特許文献１の循環式貯水槽は、水道水を貯水槽に注水し、貯水槽の水を水道の蛇口に吸水する水分配管と、導水管、そして注給水二つの口を持つ蓋、水を循環し貯水をする貯水槽、から成り立つことを特徴とするものである。
【特許文献１】  特開２０００−８４３０号公報
【発明の概要】
【発明が解決しようとする課題】
【０００４】  しかしながら、上掲特許文献１の循環式貯水槽は、水道水を貯水槽内に保管するため、貯水槽内の水道水の再利用までには至らなかった。また構造が複雑であり、装着部品点数も多くなり、コストアップに繋がるという問題も生じた。【０００５】  そこで本発明は上記の点に鑑み、断水時に使用できる貯水装置であって簡便な構造であって、且つ、常時使用する洗濯機に連結することで、常に新鮮な水道水を保管させておくことができる貯水装置を提供することにある。
【解決を解決するための手段】
【０００６】  上記課題を解決するため、第一蛇口に装着される第一送水管と、洗濯機に装着される第二送水管と、前記第一送水管と第二送水管との間に具備される貯水装置であって、該貯水装置は、第一送水管より送られた水道水を貯水する貯水本体と、貯水本体に具備された第二蛇口と、断水時に貯水本体内の水を排水する第三蛇口とを備えることを特徴とする。
【０００７】  また、前記貯水本体は蛇腹状に形成されている。
【０００８】  また、前記貯水本体の上部に息抜き弁を設置した。
【０００９】  さらに、前記貯水本体の下部に移動用のキャスターを設置した。
【発明の効果】
【００１０】  上記構造の貯水装置を、既成の蛇口と洗濯機との間に設置することで、洗濯機を使用することにより、貯水装置内の水道水が入れ替わり、常に新鮮な状態で保管しておくことができる。また、貯水装置に第二蛇口、第三蛇口、キャスター等を装着することで、高い利便性が得られる。
【図面の簡単な説明】
【００１１】
【図１】本発明の貯水装置の全体斜視図である。
【図２】貯水装置の水の流れを示す模式断面図である。
【発明を実施するための形態】
【００１２】    本発明の貯水装置は、断水時に使用できる貯水装置であって簡便な構造であって、且つ、常時使用する洗濯機に連結することで、常に新鮮な水道水を保管しておくことができることを特徴とする。
以下、本発明の貯水装置における実施の形態を図１及び図２に基づいて説明する。
【００１３】  図１に示す貯水装置１は、第一蛇口１０に装着される第一送水管１１と、洗濯機４０に装着される第二送水管４１との間に具備される。
【００１４】  前記第一蛇口１０は、一般家庭に装着されている既設の水道の蛇口であり、前記第一蛇口１０の先端には、連結具１２を介して前記第一送水管１１が装着されている。また前記第一送水管１１の先端部分はカップリング１３を介して貯水装置１の上部に連結されている。
【００１５】  第二送水管４１は、前記第一蛇口１０から送水された水道水を洗濯機４０へ送水させるものであり、一端は連結具４２を介して洗濯機４０に、他端はカップリング４３を介して第一連結管２１に装着されている。
【００１６】  本発明の貯水装置１は、前記第一送水管１１と前記第二送水管４１との間に具備されており、第一送水管１１より送られた水道水を貯水する貯水本体２と、貯水本体２に具備された第二蛇口２０と、断水時に貯水本体２内の水を排水する第三蛇口３０とを備える。
【００１７】  前記貯水装置１の貯水本体２は、防水性と適宜強度を有する樹脂、若しくは金属等で形成することができる。また前記貯水本体２は、第一蛇口１０から送水された一定量の水道を貯水できる容量を有している。
【００１８】  また特に、前記貯水本体２は蛇腹状に形成されている。貯水本体２を蛇腹状に形成することにより強度を向上させるとともに、一定方向の水の流れを実現できて鮮度を高めることができる。
【００１９】  第二蛇口２０は、前記第一連結管２１の先端に装着されている。前記第二蛇口２０は、洗濯機４０を作動させない状態で蛇口を操作することにより、通常のように水道水を排水させることができる。
【００２０】  第二連結管２２は、貯水本体２内の水を上部に送水させるものであり、下端は貯水本体２の下部に、上端は前記第二蛇口２０の近傍にそれぞれ連結されている。
【００２１】  また前記貯水本体２の下部であって、第二連結管２２の近傍には、第三蛇口３０が装着されている。前記第三蛇口３０は、断水時に貯水本体２内の水を排水させるもので、好ましくは、図示するようにパイプ部３１を上下方向に可動自在とすることが望ましい。
【００２２】  第三蛇口３０から排水される貯水本体２内の水は、洗濯機４０を可動させる毎に貯水本体２内の水道水が入れ替わるために、災害が発生した断水時に使用しても常に新鮮な水を排水することができる。
【００２３】  また他の好適例として、前記貯水本体２の上部に息抜き弁３を設置することが好ましい。息抜き弁３を設置することにより、貯水本体２内の水を効率よく、且つ素早く排水させることができる。
【００２４】  さらに、前記貯水本体２の下部に移動用のキャスター４を設置することができる。貯水本体２の下部にキャスター４を設置することにより、貯水本体２の移動が容易になり利便性を高めることができる。
【００２５】  次に、本発明の貯水装置１を使用した際の水の流れを、図２の模式断面図に基づいて説明する。
【００２６】  先ず、第一蛇口１０を開口させて水道水ａを送水する。第一蛇口１０より送水された水道水ａは、第一送水管１１を通り貯水本体２内に送り込まれる。貯水本体２内に送り込まれた水道水ａは、蛇腹状の内部を流れ第二連結管２２から上部に送り込まれ、第一連結管２１を通り、第二送水管４１より洗濯機４０内に送り込まれる。この状態で、通常のように洗濯を行う。
【００２７】  また洗濯機４０を使用しない場合、第二蛇口２０を開口させると、貯水本体２内の水道水ａは第二連結管２２を上昇し、第二蛇口２０から水道水ａ´が排水される。そのため、通常の蛇口操作をするだけで水道水を利用することができる。
【００２８】  次に、地震等の災害が発生した場合、第一蛇口１０からの水道水の送水が停止し断水状態となる。この際、貯水本体２内には水道水ａが貯水されているため、第三蛇口３０を開口させることにより水道水ａ″を排水させることができる。さらに貯水本体２内の水は、洗濯機４０を可動させる毎に水道水が入れ替わるために、断水時に使用しても常に新鮮な水を得ることができる。
【００２９】  なお本発明の貯水装置１は、図中、洗濯機４０の横に設置されている状態に記載されているが、これに限らず、スペースの有効利用として洗濯機４０の背部や流し台の隣に配置できることは言うまでもない。
【符号の説明】
【００３０】１      貯水装置
２      貯水本体
３      息抜き弁
４      キャスター
１０    第一蛇口
１１    第一送水管
１２    連結具
１３    カップリング
２０    第二蛇口
２１    第一連結管
２２    第二連結管
３０    第三蛇口
３１    パイプ部
４０    洗濯機
４１    第二送水管
４２    連結具
４３    カップリング
ａ      水道水
【図１】
2015229918.tif 000003
【図２】
2015229918.tif 000004